(57)【特許請求の範囲】
【請求項１】
原稿の第１面を読取る第１の読取り手段と、
前記原稿の第２面を読取る第２の読取り手段と、
前記第１の読取り手段と前記第２の読取り手段とに対して電源を供給する電源供給手段と、
ユーザ操作により指定されたモードが前記第１面を読取る第１の読取りモードと、前記第１面および前記第２面を読取る第２の読取りモードとのうち何れであるかを認識する認識手段と、
前記認識手段が前記第１の読取りモードを認識した場合に、前記第２の読取り手段に対する電源を遮断するように前記電源供給手段を制御する制御手段と
を有し、
前記制御手段は、
現在設定されているモードが前記第２の読取りモードのときに前記認識手段が前記第１の読取りモードを認識した場合に、該認識から所定時間の経過後に前記第２の読み取り手段に対する電源の供給を遮断するように前記電源供給手段を制御する
ことを特徴とする画像読取り装置。
【請求項２】
前記制御手段は、
前記原稿の読取りを開始する命令を受信した時点で前記認識手段に認識されたモードに従い、
該モードが前記第１の読取りモードの場合に、前記第２の読取り手段に対する電源を遮断し、該モードが前記第２の読取りモードの場合に、前記第１の読取り手段および前記第２の読取り手段のそれぞれに対して電源を供給するように前記電源供給手段を制御する
ことを特徴とする請求項１に記載の画像読取り装置。
【請求項３】
前記制御手段は、
前記認識手段により認識される前記モードが所定時間変化しない場合に、前記電源供給手段を、少なくとも前記第１の読取り手段および第２の読取り手段に対する電源の供給を遮断する省エネルギーモードに移行させるように制御する
ことを特徴とする請求項１または請求項２に記載の画像読取り装置。
【請求項４】
電源供給手段が、原稿の第１面を読取る第１の読取り手段と該原稿の第２面を読取る第２の読取り手段とに対して電源を供給する電源供給ステップと、
認識手段が、ユーザ操作により指定されたモードが前記第１面を読取る第１の読取りモードと、前記第１面および前記第２面を読取る第２の読取りモードとのうち何れであるかを認識する認識ステップと、
制御手段が、前記認識ステップにより前記第１の読取りモードを認識した場合に、前記第２の読取り手段に対する電源を遮断するように前記電源供給ステップを制御する制御ステップと
を有し、
前記制御ステップは、
現在設定されているモードが前記第２の読取りモードのときに前記認識ステップにより前記第１の読取りモードを認識した場合に、該認識から所定時間の経過後に前記第２の読み取り手段に対する電源の供給を遮断するように前記電源供給ステップを制御する
ことを特徴とする画像読取り装置の制御方法。
【請求項５】
前記制御ステップは、
前記原稿の読取りを開始する命令を受信した時点で前記認識ステップにより認識された前記モードに従い、
該モードが前記第１の読取りモードの場合に、前記第２の読取り手段に対する電源を遮断し、該モードが前記第２の読取りモードの場合に、前記第１の読取り手段および前記第２の読取り手段のそれぞれに対して電源を供給するように前記電源供給ステップを制御する
ことを特徴とする請求項４に記載の画像読取り装置の制御方法。
【請求項６】
前記制御ステップは、
前記認識ステップにより認識される前記モードが所定時間変化しない場合に、前記電源供給ステップを、少なくとも前記第１の読取り手段および第２の読取り手段に対する電源の供給を遮断する省エネルギーモードに移行させるように制御する
ことを特徴とする請求項４または請求項５に記載の画像読取り装置の制御方法。
【請求項７】
用紙に対して画像を形成する画像形成手段と、
請求項１乃至請求項３の何れか１項に記載の画像読取り装置と
を有することを特徴とする画像形成装置。
【発明の詳細な説明】
【技術分野】
【０００１】
本発明は、原稿の両面から同時に画像の読取りが可能な画像読取り装置および画像読取り装置の制御方法、ならびに、画像形成装置に関する。
【背景技術】
【０００２】
原稿の両面からそれぞれ画像を読み取って画像データとして出力する画像読取り装置が既に知られている。また、自動原稿搬送装置（ＡＤＦ）に原稿の裏面側から画像を読み取るための機構を内蔵することで、ＡＤＦにセットした原稿を反転させることなく、１パス搬送により両面原稿を読取りる方式を採用した画像読取り装置が提案されている。
【０００３】
このような、１パス搬送により両面原稿を読み取ることが可能な画像読取り装置では、両面原稿読取り時の読取り速度の向上や、原稿の裏面側から画像を読み取る際の反転搬送時の原稿に及ぼすダメージ軽減が期待される。
【０００４】
また、近年では、機器における消費電力の低減は重要な課題として挙げられている。そのため、不使用時は該当デバイスへの電源を遮断しておき、読取り命令を受信後に必要となるデバイス（例えば裏面の光学駆動部）への電源供給を再開することで消費電力の低減を図り、省エネルギー効果を高める方式が既に知られている。
【０００５】
特許文献１には、一定の待機条件下では、読取り駆動部への電源を遮断し、読取り命令を受信した際の指示内容に応じて必要な駆動部への電源供給を再開する技術が開示されている。特許文献１によれば、一層の省エネルギー化を図りつつ、読取り動作時には、ユーザに意識させることなく省エネルギー状態を解除することができる。
【発明の概要】
【発明が解決しようとする課題】
【０００６】
しかしながら、特許文献１によれば、ユーザによる裏面（両面）読取りが指示された後に、裏面読取りを行うための読取り駆動部への電源供給を再開するため、ユーザが裏面（両面）読取りを指示してから実際に読取り動作が開始できるまでに、待ち時間が発生するという問題点があった。
【０００７】
本発明は、上記に鑑みてなされたものであって、低消費電力化を図ると共に、動作開始の際の待ち時間を短縮することを目的とする。
【課題を解決するための手段】
【０００８】
上述した課題を解決し、目的を達成するために、本発明は、原稿の第１面を読取る第１の読取り手段と、原稿の第２面を読取る第２の読取り手段と、第１の読取り手段と第２の読取り手段とに対して電源を供給する電源供給手段と、ユーザ操作により指定されたモードが第１面を読取る第１の読取りモードと、第１面および第２面を読取る第２の読取りモードとのうち何れであるかを認識する認識手段と、認識手段が第１の読取りモードを認識した場合に、第２の読取り手段に対する電源を遮断するように電源供給手段を制御する制御手段とを有し、制御手段は、現在設定されているモードが第２の読取りモードのときに認識手段が第１の読取りモードを認識した場合に、認識から所定時間の経過後に第２の読み取り手段に対する電源の供給を遮断するように電源供給手段を制御することを特徴とする。
【０００９】
また、本発明は、電源供給手段が、原稿の第１面を読取る第１の読取り手段と原稿の第２面を読取る第２の読取り手段とに対して電源を供給する電源供給ステップと、認識手段が、ユーザ操作により指定されたモードが第１面を読取る第１の読取りモードと、第１面および第２面を読取る第２の読取りモードとのうち何れであるかを認識する認識ステップと、制御手段が、認識ステップにより第１の読取りモードを認識した場合に、第２の読取り手段に対する電源を遮断するように電源供給ステップを制御する制御ステップとを有し、制御ステップは、現在設定されているモードが第２の読取りモードのときに認識ステップにより第１の読取りモードを認識した場合に、認識から所定時間の経過後に第２の読み取り手段に対する電源の供給を遮断するように電源供給ステップを制御することを特徴とする。
【発明の効果】
【００１０】
本発明によれば、低消費電力化を図ると共に、動作開始の際の待ち時間を短縮できるという効果を奏する。
【図面の簡単な説明】
【００１１】
【図１】図１は、本発明の各実施形態に共通して適用可能な画像読取り装置の構成を概略的に示す略線図である。
【図２】図２は、画像読取り装置に搭載される電装系の一例の構成を示すブロック図である。
【図３】図３は、画像読取り装置の電源系統の一例の構成を示すブロック図である。
【図４】図４は、ドライバ画面の一例を示す略線図である。
【図５】図５は、本第１の実施形態による待機状態における電源供給制御処理を示す一例のフローチャートである。
【図６】図６は、本第１の実施形態による、読取り命令受信時の電源供給制御処理を示す一例のフローチャートである。
【図７】図７は、本第２の実施形態による待機状態における電源供給制御処理を示す一例のフローチャートである。
【図８】図８は、本第３の実施形態による待機状態における電源供給制御処理を示す一例のフローチャートである。
【図９】図９は、本第４の実施形態に適用可能な複合機のハードウェア構成例を示すブロック図である。
【発明を実施するための形態】
【００１２】
＜各実施形態に共通の構成＞
以下に、添付図面を参照して、本発明に係る画像読取り装置の実施形態を詳細に説明する。図１は、本発明の各実施形態に共通して適用可能な画像読取り装置５１の構成を概略的に示す。
【００１３】
この画像読取り装置５１は、読取り原稿から画像を読み取るモードとして、ブック読取りモードとＡＤＦ読取りモードとを有する。ブック読取りモードは、コンタクトガラス３に載置される読取り原稿から、ＣＣＤ１１を用いて当該読取り原稿の片面の画像を読み取るモードである。ＡＤＦ読取りモードは、ＡＤＦ(Auto Document Feeder)１４により自動搬送される読取り原稿から画像を読み取るモードである。
【００１４】
ＡＤＦ読取りモードには、片面読取りモードと両面読取りモードとが含まれる。片面読取りモードは、ＡＤＦ１４により搬送された読取り原稿の片面から、ＣＣＤ１１を用いて画像を読み取るモードである。両面読取りモードは、ＡＤＦ１４により搬送された読取り原稿の両面から、ＣＤ１１と密着型ラインセンサ５２とを用いてそれぞれ画像を読み取るモードである。両面読取りモードでは、読取り原稿の表面側の画像を例えばＣＣＤ１１により読取り、裏面側の画像を密着型ラインセンサ５２により読み取る。
【００１５】
画像読取り装置５１の構成をより詳細に説明する。画像読取り装置５１は、読取り原稿が載置されるコンタクトガラス３を有しており、このコンタクトガラス３に下方から対向する位置には、反射ミラー（図示しない）と照明ランプ５とが搭載された第１走行体６が副走査方向に移動自在に配置される。
【００１６】
第１走行体６の反射光路には、一対の反射ミラー７により光路を折り返す第２走行体８が、副走査方向に移動自在に配置される。これらの第１走行体６および第２走行体８により、原稿走査ユニット９が構成される。第２走行体８の反射光路には、結像レンズ１０を介してＳＢＵ（センサボードユニット）１０ａ上に実装されてラインセンサとしてのＣＣＤ(Charge Coupled Device)１１が位置している。
【００１７】
第１走行体６および第２走行体８には、ステッピングモータによる走行体モータ１２がプーリ、ワイヤなどにより連結されており（図示しない）、第１走行体６および第２走行体８が２：１の速度で同一の副走査方向に移動自在とされている。このように第１走行体６および第２走行体８が移動することより、コンタクトガラス３に載置された読取り原稿の原稿画像がＣＣＤ１１により副走査方向に読取り走査されるので、ここに、コンタクトガラス３上に載置された読取り原稿から画像を読み取るブック読取りモードの読取り動作を行なう固定原稿読取り機構１３が構成されている。
【００１８】
また、上述したＡＤＦ読取りモードの設定下では、図１中、右端側に破線で示すように、第１走行体６および第２走行体８をホームポジションなる停止読取り位置に停止させた状態で、ＡＤＦ(Auto Document Feeder)１４により読取り原稿を原稿搬送経路１５に従い副走査方向に順次搬送させながら原稿画像（原稿片面画像）をＣＣＤ１１により読取りらせる。ここに、ＡＤＦ読取りモードの読取り動作を行なう移動原稿読取り機構１６が構成されている。
【００１９】
ＡＤＦ１４は、給紙トレイ１７、ピックアップローラ１８、一対のレジストローラ１９、搬送ドラム２０、複数の搬送ローラ２１を有しており、読取り原稿を副走査方向に順次搬送して排紙トレイ２２に排紙させる。この排紙トレイ２２は原稿圧板２３の上面に形成されており、この原稿圧板２３はコンタクトガラス３上に開閉自在に設けられている。
【００２０】
ＡＤＦ１４のピックアップローラ１８とレジストローラ１９とに対して、ステッピングモータからなる給紙モータ（図示しない）がギヤ列などにより連結されている。また、搬送ドラム２０と搬送ローラ２１とに対して、ステッピングモータからなる搬送モータ（図示しない）がギヤ列などにより連結されている。
【００２１】
さらに、画像読取り装置５１は、密着型ラインセンサ５２を利用した移動原稿裏面読取り機構５３が付加されている。密着型ラインセンサ５２は、例えばＣＩＳ(Complementary Metal Oxide Semiconductor Image Sensor)からなり、ＡＤＦ１４中の搬送ドラム２０より原稿搬送方向下流であって搬送ローラ２１前段に設定された読取り位置に対して設けられている。密着型ラインセンサ５２に対向する位置には白色ローラ５４が配設されている。
【００２２】
密着型ラインセンサ５２は、両面読取りモード時に、ＡＤＦ１４により搬送される原稿に対してＣＣＤ１１側とは逆側の原稿面（裏面）の読取りを行う。密着型ラインセンサ５２は、原稿搬送経路１５の上方側に下向きに配設されており、原稿面を照明するＬＥＤ(Light Emitting Diode)或いはランプや等倍結像レンズアレイやセンサアレイを一体化してなる等倍型の光電変換素子である。白色ローラ５４は、密着型ラインセンサ５２に対して原稿搬送経路１５を挾んで反対側に配置される。白色ローラ５４は、密着型ラインセンサ５２による読取り時のシェーディング補正用白色部材としても使用される。
【００２３】
また、移動原稿読取り機構１６は、移動原稿片面読取り機構として機能し、ＡＤＦ片面モードやＡＤＦ両面モードにおける表面画像読取りに用いられる。読取り原稿の両面の画像を同時に読み取るＡＤＦ両面モードにおいては、密着型ラインセンサ５２の出力と、移動原稿読取り機構１６におけるＣＣＤ１１の出力とがそれぞれ用いられる。
【００２４】
画像読取り装置５１内の内部下方には、この画像読取り装置５１における画像処理、機構制御、電源制御などを行う電装系を搭載したユニット基板２６が設けられる。
【００２５】
図２は、画像読取り装置５１に搭載される電装系の一例の構成を示す。図２において、一点鎖線の下側が、画像読取り装置５１の本体側に設けられるユニット基板２６の構成を示し、上側がＡＤＦ１４内に設けられる電装系の構成を示す。
【００２６】
ユニット基板２６において、ＣＣＤ１１に入射した読取り原稿の反射光に応じたアナログ画像信号がＳＢＵ１０ａでデジタルの画像データに変換され、ＩＯＢ(Input/Output Board)２９を介してスキャナコントロールユニット（ＳＣＵ）３０内の画像処理部３１に供給される。ＩＯＢ２９の詳細については後述する。
【００２７】
画像処理部３１は、供給された画像データに対してシェーディング補正やガンマ補正、ＭＴＦ(Modulation Transfer Function)補正などの画像処理を施され、その後、２値化処理される。画像処理部３１で２値化処理された画像データは、ページ同期信号、ライン同期信号および画像クロックと共に、画像処理部３１から出力される。画像処理部３１から出力された画像データは、図示されないセレクタの一方の入力端に入力されると共に、オプション画像処理部３２に供給され、所定の画像処理が施されて再びＳＣＵ３０へ入力される。
【００２８】
オプション画像処理部３２からＳＣＵ３０に供給された画像データは、上述の、一方の入力端に画像処理部３１から出力される画像データが入力されるセレクタの、他方の入力端に入力される。すなわち、当該セレクタは、画像処理部３１で画像処理が施された画像データに対してさらにオプション画像処理部３２で画像処理を施すか否かを選択する。セレクタから出力される画像データは、スキャナイメージバッファコントローラ（ＳｉＢＣ）３４を介して画像メモリとしてのＤＲＡＭ(Dynamic Random Access Memory)３３に格納される。
【００２９】
また、ＳＣＵ３０は、ＣＰＵ(Central Processing Unit)３６、ＲＯＭ(Read Only Memory)３７およびＲＡＭ(Random Access Memory)３８を有し、これらＣＰＵ３６、ＲＯＭ３７およびＲＡＭ３８がＣＰＵバス３９で接続される。ＣＰＵバス３９には、さらに、上述した画像処理部３１およびＳｉＣＢ３４も接続される。ＣＰＵ３６は、Ｉ／Ｆ３５を制御してホスト装置１との通信を行うと共に、画像処理部３１およびＳｉＣＢ３４の動作を制御する。
【００３０】
Ｉ／Ｆ３５は、例えばＵＳＢ(Universal Serial Bus)やＩＥＥＥ(Institute of Electrical and Electronics Engineers)１３９４といったシリアルインターフェイスでもよいし、ＬＡＮ(Local Area Network)による通信を行うためのインターフェイスであってもよい。勿論、これらに限らず、ＳＣＳＩ(Small Computer System Interface)やＲＳ２３２Ｃなどのインターフェイスを用いてもよい。
【００３１】
ＤＲＡＭ３３に蓄えられた画像データは、Ｉ／Ｆ（インターフェイス）３５を介して、例えばコンピュータであるホスト装置１に転送される。
【００３２】
ＡＤＦ１４側において、密着型ラインセンサ５２と裏面用センサボードユニット（ＲＳＢＵ）５５と、裏面用のコントロールユニット（ＲＣＵ）５６とにより、密着センサ制御部５７が構成されている。密着型ラインセンサ５２から出力されるアナログ画像信号は、ＲＳＢＵ５５で所定の画像処理を施された後にデジタルの画像データに変換され、ＲＣＵ５６を介してＳｉＢＣ３４に供給され、ＤＲＡＭ３３に格納される。
【００３３】
ＩＯＢ２９は、画像読取り装置５１の本体側に設けられる各種モータやセンサなどのインターフェイスとして機能し、上述した第１走行体６および第２走行体８を駆動するための走行体モータ１２や、照明ランプ５を駆動するランプレギュレータ、冷却ファン、第１走行体６および第２走行体８のホームポジションを検出するためのホームポジションセンサ、走行体モータ１２に対するインターロックスイッチであるモータインターロックスイッチ、ＬＥＤ素子などが接続される。さらに、ＩＯＢ２９に対して、ＡＤＵ(ADF Driving Unit)４０が接続される。
【００３４】
ＡＤＵ４０は、ＡＤＦ１４に用いる電装部品の電力供給の中継を行う機能を有すると共に、当該電装部品からの出力信号、当該電装部品に対する制御信号の、画像読取り装置５１の本体側に対するインターフェイスとして機能する。ＡＤＵ４０には、給紙トレイ１７上の原稿の有無を検知する原稿有無センサやＡＤＦ１４（原稿圧板２３）の開閉を検知するＡＤＦリフトアップセンサ、読取り原稿の搬送状態を検知する搬送センサ、レジストセンサおよび排紙センサも接続されており、それらの検知信号を取り込み得るように構成される。さらに、ＡＤＵ４０に対して、給紙モータ、搬送モータ、トレイ上昇クラッチ、給紙クラッチなども接続される。
【００３５】
ＣＰＵ３６は、ＩＯＢ２９に接続される各部を、ＩＯＢ２９を介して制御する。例えば、ＣＰＵ３６は、ＩＯＢ２９を介して、ＩＯＢ２９に接続される各部、例えば走行体モータ１２、給紙モータおよび搬送モータなどの駆動パルスを制御することにより、その動作タイミングも制御する。さらに、ＣＰＵ３６は、ＩＯＢ２９およびＡＤＵ４０を介して、ＡＤＵ４０に接続される各部の制御を行う。
【００３６】
また、ＩＯＢ２９に対して、画像読取り装置５１およびＡＤＦ１４の各部が動作するために必要な電源を供給するための電源供給部（ＰＳＵ：Power Supply Unit）４４が接続される。ＰＳＵ４４は、ＡＣスイッチがオンとされることにより、例えば、＋５Ｖ、±１２Ｖ、＋２４Ｖといった電圧の電源を、ＩＯＢ２９に供給する。ＩＯＢ２９は、ＩＯＢ２９に接続される各部に対して、これらの電圧の電源を供給するようにされている。
【００３７】
図３は、画像読取り装置５１の電源系統の一例の構成を示す。ＰＳＵ４４は、図示されないＩＯＢ２９を介して、ＳＣＵ３０に対して常時、電源を供給する。また、ＰＳＵ４４は、ＣＰＵ３６の制御に従い、ＣＣＤ駆動部４６、走行体駆動部４７、原稿搬送駆動部４８および密着センサ制御部５７に対して電源を供給する。すなわち、ＰＳＵ４４は、ＣＰＵ３６の制御に基づき、これらＣＣＤ駆動部４６、走行体駆動部４７、原稿搬送駆動部４８および密着センサ制御部５７それぞれに対する電源の供給を、個別に制御することができる。
【００３８】
ＣＣＤ駆動部４６は、ＣＣＤ１１および照明ランプ５を駆動する。走行体駆動部４７は、走行体モータ１２を駆動する。原稿搬送駆動部４８は、ＡＤＦ１４における原稿搬送機構、例えば給紙モータや搬送モータを駆動する。密着センサ制御部５７は、密着型ラインセンサ５２およびＲＳＢＵ５５を駆動する。
【００３９】
これらのうち、密着センサ制御部５７は、ＡＤＦ読取りモードにおける両面読取りモードにおいてのみ、駆動状態とされればよい。ＣＣＤ駆動部４６は、全ての読取りモード、すなわち、ブック読取りモードと、ＡＤＦ読取りモードにおける片面読取りモードおよび両面読取りモードとにおいて駆動状態とされる必要がある。走行体駆動部４７は、ブック読取りモードにおいてのみ、駆動状態とされればよい。また、原稿搬送駆動部４８は、ＡＤＦ読取りモードにおいて駆動状態とされる。
【００４０】
なお、ＳＣＵ３０において、ＣＰＵ３６に対してカウント部４５が接続される。カウント部４５は、例えばタイマであって、図示されないクロック生成部から供給されるクロックをカウントしてカウント値をＣＰＵ３６に供給する。
【００４１】
この画像読取り装置５１は、動作モードとして、通常の動作モードに対し、省エネルギーモードを有する。省エネルギーモードでは、例えば画像読取り装置５１の各部に対するＰＳＵ４４からの電源の供給が、必要最小限に抑えられる。一例として、省エネルギーモードでは、ＰＳＵ４４からＣＣＤ駆動部４６、走行体駆動部４７、原稿搬送駆動部４８および密着センサ制御部５７に対する電源の供給が遮断される。ＳＣＵ３０に対する電源の供給は、維持される。
【００４２】
ＣＰＵ３６からＰＳＵ４４に対して、信号ＰＷＤＯＷＮにより省エネルギーモードへの移行が指示されると、ＰＳＵ４４は、このような省エネルギーモード時の電源制御を行う。また、ＣＰＵ３６からＰＳＵ４４に対して、信号ＰＷＤＯＷＮにより省エネルギーモードの解除が指示されると、例えば省エネルギーモード移行時の読取りモードに応じて、各部に対して電源が供給される。
【００４３】
上述のように構成された画像読取り装置５１における、読取りモードを含む各種設定や、読取り原稿の読取り開始の指示は、ホスト装置１からＩ／Ｆ３５を介して行うことができる。例えば、ホスト装置１に搭載されたドライバプログラムにより、これら設定や指示を行う。なお、ホスト装置１は、ＣＰＵ、ＲＯＭ、ＲＡＭ、ＨＤＤ（ハードディスクドライブ）、通信Ｉ／Ｆ、ユーザ入力を受け付ける入力デバイスなどを有する、一般的なコンピュータであるものとする。例えば、ドライバプログラムは、ＨＤＤに格納され、ＣＰＵは、画像読取り装置５１の起動が通信Ｉ／Ｆに対して通知されると、ＨＤＤからドライバプログラムを読み出してＲＡＭに展開し、実行する。
【００４４】
図４は、ドライバプログラムにより表示される、ホスト装置１から画像読取り装置５１を制御するためのドライバ画面１００の一例を示す。この例では、ドライバ画面１００は、モード設定部１０１およびスキャン開始ボタン１０２を有する。
【００４５】
モード設定部１０１は、ブック読取りモードと、ＡＤＦ読取りモードにおける片面読取りモードと、ＡＤＦ読取りモードにおける両面読取りモードとのうち１の読取りモードを選択する。例えば、ユーザが入力デバイスを操作して所望の読取りモード名に付随して配置されるラジオボタンを指定すると、ラジオボタンに対応する読取りモードを示す情報が、ホスト装置１から画像読取り装置５１に対して送信される。この読取りモードを示す情報は、画像読取り装置５１においてＩ／Ｆ３５により受信され、ＣＰＵ３６に渡される。ＣＰＵ３６は、この読取りモードを示す情報に従い、後述する本発明の各実施形態による処理を実行すると共に、読取りモードを示す情報をＲＡＭ３８に記憶する。
【００４６】
読取りモードを示す情報は、指定する読取りモードを変更する毎に、ホスト装置１から画像読取り装置５１に対して送信される。また、ドライバ画面１００の起動時に、デフォルトの読取りモードを示す情報が、ホスト装置１から画像読取り装置５１に対して送信される。
【００４７】
スキャン開始ボタン１０２は、画像読取り装置５１に対して、読取り原稿の読取り開始を指示する。例えば、ユーザが入力デバイスによりスキャン開始ボタン１０２を操作すると、読取り開始を指示する読取り命令がホスト装置１から画像読取り装置５１に対して送信される。この読取り命令は、画像読取り装置５１においてＩ／Ｆ３５により受信され、例えばＣＰＵ３６に渡される。ＣＰＵ３６は、読取り命令が渡されると、ＲＡＭ３８に記憶される読取りモードを示す情報に従い画像読取り装置５１の各部を制御して、読取り動作を実行する。
【００４８】
なお、ここでは、読取りモードの設定と、読取り原稿の読取り開始指示とをホスト装置１から行うように説明したが、これはこの例に限定されない。例えば、画像読取り装置５１に設けられる図示されない操作パネルから、読取りモードの設定と、読取り原稿の読取り開始指示とを行うようにもできる。
【００４９】
＜第１の実施形態＞
次に、本発明の第１の実施形態について説明する。本第１の実施形態では、画像読取り装置５１は、読取り命令の受信を待機する待機状態において、各部に対して電源を供給するか否かを、読取りモードに応じて制御する。
【００５０】
図５は、本第１の実施形態による待機状態における電源供給制御処理を示す一例のフローチャートである。この図５に示すフローチャートによる各処理は、ＣＰＵ３６により実行される。また、画像読取り装置５１とホスト装置１とは、予め所定のインターフェイスにより接続されているものとする。画像読取り装置５１においてＡＣスイッチがオンとされると、このフローチャートによる処理が開始される。
【００５１】
ＡＣスイッチがオンとされ、画像読取り装置５１が起動されると、起動された旨がＩ／Ｆ３５からホスト装置１に対して通知される。ホスト装置１では、画像読取り装置５１の起動が通知されると、ドライバプログラムが起動され、上述のドライバ画面１００が表示されると共に、デフォルトの読取りモードを示す情報を出力する。デフォルトの読取りモードを示す情報は、ホスト装置１から画像読取り装置５１に送信され、ＣＰＵ３６に渡される。
【００５２】
最初のステップＳ１０１で、ＣＰＵ３６により読取りモードが認識され、次のステップＳ１０２で、ＣＰＵ３６は、認識された読取りモードが両面読取りを行う読取りモードと、片面読取りを行う読取りモードとのうち何れであるかを判定する。例えば、ブック読取りモードおよびＡＤＦ読取りモードにおける片面読取りモードは、片面読取りを行う読取りモードである。一方、ＡＤＦ読取りモードにおける両面読取りモードは、両面読取りを行う読取りモードである。
【００５３】
若し、認識された読取りモードが両面読取りを行う読取りモードであると判定したら、ＣＰＵ３６は、処理をステップＳ１０３に移行させる。ステップＳ１０３で、ＣＰＵ３６は、裏面読取りを行う駆動部に対する電源供給を行うように、ＰＳＵ４４を制御する。より具体的には、ＣＰＵ３６は、密着センサ制御部５７に対して電源を供給するように、ＰＳＵ４４を制御する。そして、処理はステップＳ１０５に移行される。
【００５４】
一方、ステップＳ１０２で、認識された読取りモードが片面読取りを行う読取りモードであると判定したら、処理をステップＳ１０４に移行させる。ステップＳ１０４で、ＣＰＵ３６は、裏面読取りを行う駆動部に対する電源供給を遮断するように、ＰＳＵ４４を制御する。より具体的には、ＣＰＵ３６は、密着センサ制御部５７に対する電源の供給を遮断するように、ＰＳＵ４４を制御する。そして、処理はステップＳ１０５に移行される。
【００５５】
なお、認識された読取りモードが両面読取りを行う読取りモードと、片面読取りを行う読取りモードとの何れであっても、表面読取りを行う駆動部と、読取り原稿を搬送するための駆動部とに対しては、電源が供給される。より具体的には、ＣＣＤ駆動部４６、走行体駆動部４７および原稿搬送駆動部４８には、読取りモードが両面読取りを行う読取りモードであるか、片面読取りを行う読取りモードであるかに関わらず、電源が供給される。
【００５６】
ステップＳ１０５で、ＣＰＵ３６は、ホスト装置１から読取り命令を受信したか否かを判定する。若し、受信していないと判定したら、処理をステップＳ１０１に戻す。一方、読取り命令を受信したと判定したら、図５のフローチャートにおける一連の処理を終了し、待機状態から抜ける。
【００５７】
このように、本第１の実施形態では、読取り命令の受信を認識するまでの間は、読取りモード設定の変更を受信する毎に電源供給の再開および遮断が繰り返される。したがって、読取り命令を受信するまでに、ユーザによる読取りモード設定の内容に応じて、事前に適切な駆動部への電源供給が可能となるため、ユーザによる読取り命令が受信されてから読取り動作を開始するまでの待ち時間を短縮化することができる。
【００５８】
図６は、本第１の実施形態による、読取り命令受信時の電源供給制御処理を示す一例のフローチャートである。上述の図５のフローチャートにおけるステップＳ１０５の処理に続けて、この図６のフローチャートによる処理が実行される。ステップＳ２０１で、ホスト装置１から受信した読取り命令をＣＰＵ３６が認識すると、処理がステップＳ２０２に移行される。
【００５９】
ステップＳ２０２で、ＣＰＵ３６は、その時点で命令されている読取りモードを判定する。ＣＰＵ３６は、若し、命令されている読取りモードが両面読取りを行う読取りモードであると判定したら、処理をステップＳ２０３に移行させ、裏面読取りを行う駆動部に対する電源供給を行うように、ＰＳＵ４４を制御する。
【００６０】
一方、ステップＳ２０２で、ＣＰＵ３６は、命令されている読取りモードが片面読取りを行う読取りモードであると判定したら、処理をステップＳ２０４に移行させ、裏面読取りを行う駆動部に対する電源供給を遮断するように、ＰＳＵ４４を制御する。
【００６１】
この場合においても、命令された読取りモードが両面読取りを行う読取りモードと、片面読取りを行う読取りモードとの何れであっても、表面読取りを行う駆動部と、読取り原稿を搬送するための駆動部とに対しては、電源が供給される。
【００６２】
ステップＳ２０３またはステップＳ２０４の処理が終了すると、処理がステップＳ２０５に移行される。ステップＳ２０５で、ＣＰＵ３６は、ステップＳ２０２の時点で判定した読取りモードで読取り動作を行うように、画像読取り装置５１の各部を制御する。読取り動作が終了すると、図５のフローチャートによる読取り待機状態に戻る。
【００６３】
この図６のフローチャートの処理により、事前に設定された読取りモードと異なる読取りモードによる読取り開始命令があった場合でも、画像読取り装置５１の各部に対して適切に電源供給を行うことができる。このような状況としては、ホスト装置１による読取りモード設定から読取り開始命令送信までの間に、別の読取り開始命令、例えば画像読取り装置５１に設けられる図示されないオペレーションパネルから読取り開始命令があった場合などが考えられる。
【００６４】
＜第２の実施形態＞
次に、本発明の第２の実施形態について説明する。本第２の実施形態では、画像読取り装置５１は、読取り命令の受信を待機する待機状態において、読取りモードが両面読取りを行う読取りモードから片面読取りを行う読取りモードに変更された際の裏面駆動部に対する電源供給の遮断を、所定時間の経過を待って行う。
【００６５】
図７は、本第２の実施形態による待機状態における電源供給制御処理を示す一例のフローチャートである。画像読取り装置５１が起動されると、起動された旨がホスト装置１に対して通知される。この通知を受けて、ホスト装置１側で、ドライバプログラムが起動され、デフォルトの読取りモードを示す情報が画像読取り装置５１に送信される。
【００６６】
最初のステップＳ３０１で、ＣＰＵ３６により読取りモードが認識され、次のステップＳ３０２で、ＣＰＵ３６は、認識された読取りモードが両面読取りを行う読取りモードと、片面読取りを行う読取りモードとのうち何れであるかを判定する。
【００６７】
若し、認識された読取りモードが両面読取りを行う読取りモードであると判定したら、処理をステップＳ３０３に移行させ、裏面読取りを行う駆動部に対する電源供給を行うように、ＰＳＵ４４を制御する。一方、認識された読取りモードが片面読取りを行う読取りモードであると判定したら、処理をステップＳ３０４に移行させ、裏面読取りを行う駆動部に対する電源供給を遮断するように、ＰＳＵ４４を制御する。
【００６８】
なお、この場合においても、認識された読取りモードが両面読取りを行う読取りモードと、片面読取りを行う読取りモードとの何れであっても、表面読取りを行う駆動部と、読取り原稿を搬送するための駆動部とに対しては、電源が供給される。
【００６９】
ステップＳ３０３またはステップＳ３０４の処理が終了したら、処理がステップＳ３０５に移行される。ステップＳ３０５で、ＣＰＵ３６は、カウント部４５におけるカウント値をクリアする。ここでは、カウント部４５でカウントされるカウント値は、電源遮断処理を保留する時間をカウントする値である。以下、カウント部４５でのカウント処理を電源遮断保留カウントと呼ぶ。
【００７０】
次のステップＳ３０６で、ＣＰＵ３６は、電源遮断保留カウントによるカウント値が所定値に達したか否かを判定する。若し、当該カウント値が所定値に達したと判定されたら、ＣＰＵ３６は、処理をステップＳ３０４に移行させる。
【００７１】
一方、当該カウント値が所定値に達していないと判定されたら、ＣＰＵ３６は、処理をステップＳ３０７に移行させ、ホスト装置１から読取り命令を受信したか否かを判定する。若し、読取り命令を受信したと判定したら、図７のフローチャートにおける一連の処理を終了し、待機状態から抜け、上述の図６のフローチャートに処理が移る。
【００７２】
一方、ステップＳ３０７で読取り命令を受信していないと判定したら、ＣＰＵ３６は、処理をステップＳ３０８に移行させ、読取りモードが認識される。そして、次のステップＳ３０９で、ＣＰＵ３６は、読取りモードが変更されたか否かを判定する。若し、変更されたと判定されたら、処理はステップＳ３１０に移行される。一方、変更されていないと判定されたら、処理はステップＳ３０６に戻される。
【００７３】
例えば、ＣＰＵ３６は、上述のステップＳ３０１または前回のステップＳ３０８で認識した読取りモードを示す情報をＲＡＭ３８などに保持しておき、今回のステップＳ３０８で認識した読取りモードを示す情報と、ＲＡＭ３８に保持されている当該情報とを比較する。比較の結果、保持された当該情報と、今回のステップＳ３０８で認識された当該情報とが異なっている場合に、読取りモードが変更されたと判定する。
【００７４】
ステップＳ３１０で、ＣＰＵ３６は、変更後の読取りモードが、両面読取りを行う読取りモードと、片面読取りを行う読取りモードとのうち何れであるかを判定する。若し、両面読取りを行う読取りモードであると判定したら、ＣＰＵ３６は、処理をステップＳ３０３に戻して、裏面読取りを行う駆動部に対する電源供給を行うように、ＰＳＵ４４を制御する。
【００７５】
一方、ＣＰＵ３６は、変更後の読取りモードが片面読取りを行う読取りモードであると判定したら、処理をステップＳ３１１に移行させ、カウント部４５での電源遮断保留カウントを開始させる。電源遮断保留カウントが開始されると、処理はステップＳ３０６に戻される。
【００７６】
このように、本第２の実施形態によれば、読取りモードが両面読取りを行う読取りモードから、片面読取りを行う読取りモードへと変更された場合に、電源遮断保留カウントが開始される。そして、電源遮断保留カウントが開始されてから読取りモードの変更無しで所定時間が経過した場合に、裏面読取りを行う駆動部に対する電源が遮断される。
【００７７】
したがって、ユーザがホスト装置１から読取りモードの設定切り替えを繰り返した場合の不必要な電源供給状態の切り替えを抑制することができ、切り替えに要する時間の削減、切り替えが繰り返されることによる駆動部の劣化防止などの効果を得ることができる。
【００７８】
＜第３の実施形態＞
次に、本発明の第３の実施形態について説明する。本第３の実施形態では、画像読取り装置５１は、読取り命令の待機中に、所定時間の間、読取りモードに変更が無い場合に、通常の動作モードから省エネルギーモードに移行する。
【００７９】
図８は、本第３の実施形態による待機状態における電源供給制御処理を示す一例のフローチャートである。画像読取り装置５１が起動されると、起動された旨がホスト装置１に対して通知される。この通知を受けて、ホスト装置１側で、ドライバプログラムが起動され、デフォルトの読取りモードを示す情報が画像読取り装置５１に送信される。
【００８０】
最初のステップＳ４０１で、ＣＰＵ３６により読取りモードが認識され、次のステップＳ４０２で、ＣＰＵ３６は、認識された読取りモードが両面読取りを行う読取りモードと、片面読取りを行う読取りモードとのうち何れであるかを判定する。
【００８１】
若し、認識された読取りモードが両面読取りを行う読取りモードであると判定したら、処理をステップＳ４０３に移行させ、裏面読取りを行う駆動部に対する電源供給を行うように、ＰＳＵ４４を制御する。一方、認識された読取りモードが片面読取りを行う読取りモードであると判定したら、処理をステップＳ４０４に移行させ、裏面読取りを行う駆動部に対する電源供給を遮断するように、ＰＳＵ４４を制御する。
【００８２】
なお、この場合においても、認識された読取りモードが両面読取りを行う読取りモードと、片面読取りを行う読取りモードとの何れであっても、表面読取りを行う駆動部と、読取り原稿を搬送するための駆動部とに対しては、電源が供給される。
【００８３】
ステップＳ４０３またはステップＳ４０４の処理が終了したら、処理がステップＳ４０５に移行される。ステップＳ４０５で、ＣＰＵ３６は、カウント部４５におけるカウント値をクリアして、新にカウント処理を開始させる。ここでは、カウント部４５でカウントされるカウント値は、省エネルギーモードに移行するための時間をカウントする値である。以下、カウント部４５でのカウント処理を省エネカウントと呼ぶ。
【００８４】
次のステップＳ４０６で、ＣＰＵ３６は、ホスト装置１から読取り命令を受信したか否かを判定する。若し、読取り命令を受信したと判定したら、処理をステップＳ４１２に移行させて省エネカウントを終了させる。そして、図８のフローチャートにおける一連の処理を終了し、待機状態から抜け、上述の図６のフローチャートに処理が移る。このとき、動作モードが省エネルギーモードであれば、ＣＰＵ３６は、省エネルギーモードの解除を指示する信号ＰＷＤＯＷＮをＰＳＵ４４に対して送信する。
【００８５】
一方、ステップＳ４０６で読取り命令を受信していないと判定したら、ＣＰＵ３６は、処理をステップＳ４０７に移行させ、読取りモードが認識される。そして、次のステップＳ４０８で、ＣＰＵ３６は、読取りモードが変更されたか否かを判定する。若し、変更されていないと判定されたら、処理はステップＳ４０９に移行される。
【００８６】
ステップＳ４０９で、ＣＰＵ３６は、省エネカウントによるカウント値が所定値に達したか否かを判定する。若し、当該カウント値が所定値に達していないと判定されたら、ＣＰＵ３６は、処理をステップＳ４０６に戻す。
【００８７】
一方、ＣＰＵ３６は、当該カウント値が所定値に達したと判定したら、処理をステップＳ４１０に移行させる。ＣＰＵ３６は、ステップＳ４１０で、ＰＳＵ４４に対して、省エネルギーモードに移行を指示する信号ＰＷＤＯＷＮを送信する。ＰＳＵ４４は、この信号ＰＷＤＯＷＮに従い、省エネルギーモードで画像読取り装置５１の各部に対する電源の供給を行う。例えば、上述したように、ＰＳＵ４４は、ＣＣＤ駆動部４６、走行体駆動部４７、原稿搬送駆動部４８および密着センサ制御部５７に対する電源の供給を遮断し、ＳＣＵ３０にのみ電源の供給を行う。動作モードが省エネルギーモードに移行したら、処理はステップＳ４０６に戻される。
【００８８】
上述のステップＳ４０８で、読取りモードが変更されたと判定したら、ＣＰＵ３６は、処理をステップＳ４１１に移行させて、変更後の読取りモードが、両面読取りを行う読取りモードと、片面読取りを行う読取りモードとのうち何れであるかを判定する。若し、両面読取りを行う読取りモードであると判定したら、ＣＰＵ３６は、省エネルギーモードを解除すると共に、処理をステップＳ４０３に戻して、裏面読取りを行う駆動部に対する電源供給を行うように、ＰＳＵ４４を制御する。
【００８９】
一方、ＣＰＵ３６は、変更後の読取りモードが片面読取りを行う読取りモードであると判定したら、省エネルギーモードを解除すると共に、処理をステップＳ４０４に移行させ、裏面読取りを行う駆動部に対する電源供給を遮断するように、ＰＳＵ４４を制御する。
【００９０】
このように、本第３の実施形態によれば、読取り命令の待機中において、読取りモードの変更および読取り命令の受信が所定時間の間無ければ、動作モードを自動的に省エネルギーモードに移行させる。また、省エネルギーモードに移行後に読取りモードの変更、または、読取り命令の受信があれば、省エネルギーモードを自動的に解除する。そのため、省エネルギーモードへの移行を、ユーザが意識することなく適切に行うことができる。
【００９１】
なお、上述した第１、第２および第３の実施形態は、互いに組み合わせて実施可能である。
【００９２】
＜第４の実施形態＞
次に、本発明の第４の実施形態について説明する。本第４の実施形態は、上述した第１、第２または第３の実施形態による電源制御方法を、印刷機能、画像読取り機能、複写機能、ＦＡＸ機能など複数の機能を１の筐体で実行可能とした複合機に対して適用させた例である。
【００９３】
図９は、本第４の実施形態に適用可能な画像形成装置としての複合機のハードウェア構成例を示す。本図に示すように、この複合機は、コントローラ５１０と、エンジン部（Ｅｎｇｉｎｅ）５６０とをＰＣＩ(Peripheral Component Interface)バスで接続した構成となる。コントローラ５１０は、複合機全体の制御と描画、通信、図示しない操作部からの入力を制御するコントローラである。
【００９４】
エンジン部５６０は、ＰＣＩバスに接続可能なプリンタエンジンなどであり、たとえば白黒プロッタ、１ドラムカラープロッタ、４ドラムカラープロッタまたはファックスユニットなどの、用紙に対して画像を形成する画像形成部である。なお、このエンジン部５６０には、プロッタなどのいわゆるエンジン部分に加えて、誤差拡散やガンマ変換などの画像処理部分が含まれる。
【００９５】
コントローラ５１０は、ＣＰＵ５１１と、ノースブリッジ（ＮＢ）５１３と、システムメモリ（ＭＥＭ−Ｐ）５１２と、サウスブリッジ（ＳＢ）５１４と、ローカルメモリ（ＭＥＭ−Ｃ）５１７と、ＡＳＩＣ(Application Specific Integrated Circuit)５１６と、ＨＤＤ５１８とを有し、ノースブリッジ（ＮＢ）５１３とＡＳＩＣ５１６との間をＡＧＰ(Accelerated Graphics Port)バス５１５で接続した構成となる。また、ＭＥＭ−Ｐ５１２は、ＲＯＭ５１２ａと、ＲＡＭ５１２ｂとをさらに有する。
【００９６】
ＣＰＵ５１１は、複合機の全体制御を行うものであり、ＮＢ５１３、ＭＥＭ−Ｐ５１２およびＳＢ５１４からなるチップセットを有し、このチップセットを介して他の機器と接続される。このＣＰＵ５１１が、図２で説明したＣＰＵ３６に対応する。
【００９７】
ＮＢ５１３は、ＣＰＵ５１１とＭＥＭ−Ｐ５１２、ＳＢ５１４、ＡＧＰ５１５とを接続するためのブリッジであり、ＭＥＭ−Ｐ５１２に対する読み書きなどを制御するメモリコントローラと、ＰＣＩマスタおよびＡＧＰターゲットとを有する。
【００９８】
ＭＥＭ−Ｐ５１２は、プログラムやデータの格納用メモリ、プログラムやデータの展開用メモリ、プリンタの描画用メモリなどとして用いるシステムメモリであり、ＲＯＭ５１２ａとＲＡＭ５１２ｂとからなる。ＲＯＭ５１２ａは、プログラムやデータの格納用メモリとして用いる読み出し専用のメモリであり、ＲＡＭ５１２ｂは、プログラムやデータの展開用メモリ、プリンタの描画用メモリなどとして用いる書き込みおよび読み出し可能なメモリである。
【００９９】
ＳＢ５１４は、ＮＢ５１３とＰＣＩデバイス、周辺デバイスとを接続するためのブリッジである。このＳＢ５１４は、ＰＣＩバスを介してＮＢ５１３と接続されており、このＰＣＩバスには、ネットワークインターフェース（Ｉ／Ｆ）部なども接続される。
【０１００】
ＡＳＩＣ５１６は、画像処理用のハードウェア要素を有する画像処理用途向けの集積回路であり、ＡＧＰ５１５、ＰＣＩバス、ＨＤＤ５１８およびＭＥＭ−Ｃ５１７をそれぞれ接続するブリッジの役割を有する。このＡＳＩＣ５１６は、ＰＣＩターゲットおよびＡＧＰマスタと、ＡＳＩＣ５１６の中核をなすアービタ（ＡＲＢ）と、ＭＥＭ−Ｃ５１７を制御するメモリコントローラと、ハードウェアロジックなどにより画像データの回転などをおこなう複数のＤＭＡＣ(Direct Memory Access Controller)と、エンジン部５６０との間でＰＣＩバスを介したデータ転送をおこなうＰＣＩユニットとからなる。このＡＳＩＣ５１６には、ＰＣＩバスを介してＦＣＵ(Facsimile Control Unit)５３０、ＵＳＢ５４０、ＩＥＥＥ１３９４インターフェース５５０が接続される。操作表示部５２０はＡＳＩＣ５１６に直接接続されている。
【０１０１】
ＭＥＭ−Ｃ５１７は、コピー用画像バッファ、符号バッファとして用いるローカルメモリであり、ＨＤＤ５１８は、画像データの蓄積、プログラムの蓄積、フォントデータの蓄積、フォームの蓄積を行うためのストレージである。
【０１０２】
ＡＧＰ５１５は、グラフィック処理を高速化するために提案されたグラフィックスアクセラレーターカード用のバスインターフェースであり、ＭＥＭ−Ｐ５１２に高スループットで直接アクセスすることにより、グラフィックスアクセラレーターカードを高速にするものである。
【０１０３】
ＰＣＩバスに対して、さらに、上述した画像読取り装置５１に対応するスキャナ部５７０と、この複合機の各部に電源を供給する、上述のＰＳＵ４４に対応するＰＳＵ５７１とが接続される。この複合機においては、スキャナ部５７０に対する読取りモードの設定は、例えば操作表示部５２０から行われる。また、ＰＳＵ５７１は、少なくとも、スキャナ部５７０が片面読取りを行う読取りモードで原稿読取りを行う場合に、スキャナ部５７０における裏面読取りを行う駆動部の電源を、上述の第１、第２または第３の実施形態による方法に従い、遮断する。
【符号の説明】
【０１０４】
１  ホスト装置
１１  ＣＣＤ
１４  ＡＤＦ
２９  ＩＯＢ
３０  ＳＣＵ
３６  ＣＰＵ
４４  ＰＳＵ
４５  カウント部
４６  ＣＣＤ駆動部
４７  走行体制御部
４８  原稿搬送駆動部
５１  画像読取り装置
５２  密着型ラインセンサ
５７  密着センサ制御部
【先行技術文献】
【特許文献】
【０１０５】
【特許文献１】特開２０００−１７４９７８号公報
【図１】
0005560799.tif 000002
【図２】
0005560799.tif 000003
【図３】
0005560799.tif 000004
【図４】
0005560799.tif 000005
【図５】
0005560799.tif 000006
【図６】
0005560799.tif 000007
【図７】
0005560799.tif 000008
【図８】
0005560799.tif 000009
【図９】
0005560799.tif 000010